(57)【特許請求の範囲】
【請求項１】
過酸化水素を０．０５〜２０質量％及び水を含有する２０℃におけるｐＨが１．０〜７．０の水性組成物であるＡ剤と、２０℃におけるｐＨが８．５以上の水性組成物であるＢ剤とからなる２剤型液体漂白剤であって、
Ａ剤及びＢ剤のいずれか一方に炭素数８〜１８の炭化水素基を１以上有するアルカノールアミド型界面活性剤を含有し、他方に炭素数８〜１８の炭化水素基を１つ以上有する陰イオン界面活性剤を含有し、
Ａ剤及びＢ剤を１／１の質量比で混合した混合物の２０℃におけるｐＨが８．０〜１３．０であって、且つ該混合物の２０℃における粘度がＡ剤の２０℃における粘度及びＢ剤の２０℃における粘度のいずれよりも高い、
２剤型漂白剤。
【請求項２】
Ａ剤の２０℃における粘度が１〜１０ｍＰａ・ｓ、Ｂ剤の２０℃における粘度が１〜１０ｍＰａ・ｓであり、Ａ剤／Ｂ剤を１／３〜３／１の質量比で混合した混合物の２０℃における粘度が１１〜２００ｍＰａ・ｓである請求項１記載の２剤型漂白剤。
【発明の詳細な説明】
【０００１】
【発明に属する技術分野】
本発明は２剤型液体漂白剤に関する。
【０００２】
【従来の技術及び発明が解決しようとする課題】
過酸化水素を主基剤とする液体漂白剤は色・柄物に使用でき、汚れに直接塗布できるなどの利点から好まれて使用されている。現在市販されている液体酸素系漂白剤は、所定量をキャップに取り分け衣類に塗布するか、もしくは洗濯機に投入する方法が一般的に行われている。しかしながら、その漂白効果の更なる向上が要望されている。
【０００３】
また、漂白効果を向上し、貯蔵安定性も十分なものを得ることを目的に２剤型液体漂白剤の研究が行われている。特開平３−１４０４００号公報、特開平６−１６６８９２号公報、特開平９−１５７６９３号公報、特開平９−４８９９７号公報には過酸化水素を含有するＡ剤と漂白活性化剤を含有するＢ剤からなる漂白剤組成物が公開されている。しかしながら、これらの技術を用いてもいまだ満足できる漂白効果を得ることができない。
【０００４】
従って、本発明の課題は、優れた漂白効果を有する２剤型漂白剤を提供することにある。
【０００５】
【課題を解決するための手段】
本発明は、過酸化水素を０．０５〜２０質量％及び水を含有する２０℃におけるｐＨが１．０〜７．０の水性組成物であるＡ剤と、２０℃におけるｐＨが８．５以上の水性組成物であるＢ剤とからなる２剤型液体漂白剤であって、Ａ剤及びＢ剤を１／１の質量比で混合した混合物の２０℃におけるｐＨが８．０〜１３．０であって、且つ該混合物の２０℃における粘度がＡ剤の２０℃における粘度及びＢ剤の２０℃における粘度のいずれよりも高い２剤型漂白剤を提供する。
【０００６】
【発明の実施の形態】
本発明のＡ剤は、良好な漂白効果が得られることから、過酸化水素を０．０５〜２０質量％、好ましくは０．５〜１０質量％、特に好ましくは１〜６質量％含有する。過酸化水素濃度は、過マンガン酸カリウムを用いた滴定方法により測定する。
【０００７】
また、Ａ剤の２０℃におけるｐＨは１．０〜７．０、好ましくは１．５〜５．０、更に好ましくは２．０〜５．０である。このようなｐＨに調整するために、酸剤を用いることが好ましい。本発明において酸剤とは、添加することによって水溶液のｐＨを酸性にする化合物を指すが、ｐＨを調整するための酸剤としては硝酸、硫酸、リン酸、ホウ酸、ホスホン酸、ホスホノカルボン酸、カルボン酸、ポリカルボン酸及びアミノカルボン酸が好ましい。これらの中でも具体的に好ましい化合物としては、硫酸、オルトリン酸、メタリン酸、ホウ酸から選ばれる無機酸、エタン−1,1−ジホスホン酸、エタン−1,1,2−トリホスホン酸、エタン−1−ヒドロキシ−1,1−ジホスホン酸、エタンヒドロキシ−1,1,2−トリホスホン酸、エタン−1,2−ジカルボキシ−1,2−ジホスホン酸、メタンヒドロキシホスホン酸、アミノポリ（メチレンホスホン酸）、ポリエチレンポリアミンポリ（メチレンホスホン酸）から選ばれるホスホン酸、２−ホスホノブタン−1,2−ジカルボン酸、１−ホスホノブタン−2,3,4−トリカルボン酸、α−メチルホスホノコハク酸から選ばれるホスホノカルボン酸、ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸から選ばれるアミノポリ酢酸、ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸から選ばれるポリカルボン酸であり、特に好ましい化合物としては硫酸、ホウ酸及びエタン−1−ヒドロキシ−1,1−ジホスホン酸、エタン−1,1−ジホスホン酸から選ばれる１種以上である。
【０００８】
これらの酸剤は、後述する金属イオン封鎖剤として使用されるものであってもよい。Ａ剤中の酸剤の配合量は、ｐＨ条件を満たす範囲で添加されるが、貯蔵安定性の点で、好ましくは１０質量％以下、好ましくは０．１〜５質量％の範囲で添加されることが好ましい。
【０００９】
本発明のＡ剤には前記ｐＨ条件を満たす限りアルカリ剤を添加してもよい。本発明においてアルカリ剤とはイオン交換水に添加することでアルカリ性を示す化合物を指す。本発明ではｐＨ調整に用いられることが好ましく、アルカリ金属水酸化物が好ましい。
【００１０】
ところで、本発明の２剤型漂白剤はＡ剤とＢ剤を混合して使用するが、混合の際に、少量のＢ剤がＡ剤に混ざり、ｐＨが上昇することでガスを発生させることが懸念される。従って本発明のＡ剤には、アルカリに対するｐＨ変動抑制能を有することが好ましい。そのためには、前記した酸剤のうち緩衝能を示す酸剤やその塩を配合することが好ましく、具体的には、Ａ剤中のリン酸、ホウ酸、ホスホン酸、ホスホノカルボン酸、カルボン酸及びポリカルボン酸、それらのイオン化物、並びにそれらの塩の１種以上のＡ剤中に含有される濃度が、酸形態としてカウントしたときに０．００１〜５質量％、好ましくは０．１〜３質量％、より好ましくは０．１〜１質量％、最も好ましくは０．１〜０．５質量％であることが好ましい。なお、Ａ剤中の塩素イオンは過酸化水素の安定性を低下させるので、塩酸や塩素塩に起因する塩素イオン含有は抑制され、塩素イオンはＡ剤中に０．２質量％以下、更には０．０２質量％以下、特には実質的に含有しないことが好ましい。
【００１１】
本発明のＡ剤に使用する水は蒸留水又はイオン交換水が好ましい。また、貯蔵安定性の点で、水はＡ剤中に５０〜９９質量％、好ましくは６０〜９５質量％が好適である。
【００１２】
本発明のＢ剤は、２０℃におけるｐＨが８．５〜１３．５、好ましくは９．０〜１３．５、より好ましくは９．５〜１１．５、最も好ましくは１０．０〜１１．０のものである。このようなｐＨを達成するために、Ｂ剤にはアルカリ剤を配合する。アルカリ剤としては、水酸化ナトリウム、水酸化カリウム等のアルカリ金属水酸化物、炭酸ナトリウム、重炭酸ナトリウム、炭酸カリウム、重炭酸カリウム等の炭酸塩、リン酸塩、ホスホン酸塩、ホウ酸塩、珪酸塩、有機カルボン酸塩、フェノール性水酸基もしくはエノール性水酸基を有する化合物の共役塩基、アンモニア、モノエタノールアミン、ジエタノールアミン、トリエタノールアミン等のアミン誘導体などが挙げられる。その中で好ましいものとしては、炭酸ナトリウム及び炭酸カリウムが挙げられる。アルカリ剤は、ｐＨ条件を満たす濃度で配合されるが、貯蔵安定性の点より、好ましくは０．５〜２０質量％、より好ましくは１〜１５質量％の範囲で配合される。
【００１３】
また、本発明のＢ剤には前記ｐＨ条件を満たす限り酸剤を添加してもよい。本発明において酸剤とは、添加することによって水溶液のｐＨを酸性にする化合物を指し、例えば強酸弱塩基等の塩であってもよい。
【００１４】
また、本発明の２剤型漂白剤は、Ａ剤及びＢ剤を質量比１／１混合した混合物の２０℃におけるｐＨが８．０〜１３．０、好ましくは９．０〜１１．０である。そのためには、Ｂ剤に起因するアルカリ域におけるｐＨ変動抑制能が優れることが好ましい。従って、本発明のＢ剤においては、炭酸、リン酸、カルボン酸、ホスホン酸及びホスホノカルボン酸、それらのイオン化物、並びにそれらの塩の１種以上の濃度が、酸形態としてカウントしたときに０．５〜１０質量％であることが好ましく、更には１．０〜８．０質量％、特には２〜５質量％であることが好ましい。但し、Ｂ剤中のこれら濃度は、Ａ剤のｐＨ変動抑制能の程度によって変化する。
【００１５】
本発明では特に、Ｂ剤にアルカリ剤としてアルカリ金属炭酸塩を配合することが好ましく、特に炭酸カリウムを配合することが好ましい。アルカリ金属炭酸塩は系中の炭酸濃度が１．５〜５．０質量％になるように配合される。
【００１６】
本発明のＢ剤は、残部が水の水性組成物であり、蒸留水又はイオン交換水が好ましい。水はＢ剤中に５０〜９９質量％、好ましくは６０〜９５質量％が好適である。
【００１７】
本発明の２剤型漂白剤において、Ａ剤の２０℃における粘度は使い勝手の点から好ましくは１〜１０ｍＰａ・ｓ、より好ましくは２〜８ｍＰａ・ｓであり、Ｂ剤の２０℃における粘度は、好ましくは１〜１０ｍＰａ・ｓ、より好ましくは２〜８ｍＰａ・ｓである。
【００１８】
本発明の２剤型漂白剤は、Ａ剤及びＢ剤を１／１の質量比で混合した混合物の２０℃における粘度がＡ剤の２０℃における粘度及びＢ剤の２０℃における粘度のいずれよりも高くなる２剤型漂白剤であり、好ましくはＡ剤／Ｂ剤を１／３〜３／１、より好ましくは１／５〜５／１、最も好ましくは１／１０〜１０／１の範囲内全ての質量比で混合した混合物の２０℃における粘度が１１〜２００ｍＰａ・ｓ、更には１５〜１００ｍＰａ・ｓ、特には１５〜６０ｍＰａ・ｓの範囲に入ることが高い漂白効果を得る目的から好ましい。また、本発明の２剤型漂白剤は、Ａ剤及びＢ剤を１／１の質量比で混合した混合物の２０℃における粘度が、Ａ剤の２０℃における粘度及びＢ剤の２０℃における粘度のうち高い方と比較して、好ましくは１．５  〜４０倍、より好ましくは２〜２０倍、最も好ましくは３〜１０倍であることが適している。
【００１９】
このようなＡ剤、Ｂ剤混合物の粘度挙動を達成する好ましい方法として、下記方法（ｉ）〜方法（ｖ）を挙げることができる。
【００２０】
方法（ｉ）：Ａ剤及びＢ剤のいずれか一方に炭素数８〜１８の炭化水素基を１つ以上有する両性界面活性剤を含有し、他方に炭素数８〜１８の炭化水素基を１つ以上有する陰イオン界面活性剤を含有する
方法（ii）：Ａ剤及びＢ剤のいずれか一方に炭素数８〜１８の炭化水素基を１以上有するアルカノールアミド型界面活性剤を含有し、他方に炭素数８〜１８の炭化水素基を１つ以上有する陰イオン界面活性剤を含有する
方法（iii）：Ａ剤及びＢ剤のいずれか一方にデービス氏の方法で求めたＨＬＢが３〜８の非イオン界面活性剤を含有し、他方に水溶性無機塩を０．５〜２０質量％含有する
方法（iv）：濃度０．２質量％、ｐＨ４の水溶液の２０℃における粘度が１〜１０ｍＰａ・ｓであり、濃度０．１質量％、ｐＨ１０の水溶液の２０℃における粘度が１１ｍＰａ・ｓ以上になる重量平均分子量１万〜６百万の水溶性高分子化合物をＡ剤に含有する
方法（ｖ）：水溶性無機塩を０．５〜２０質量％、並びにスルホン酸基及びヒドロキシ基から選ばれる官能基をその繰り返し単位に有する高分子化合物を０．０１〜１５質量％Ｂ剤に含有する。
【００２１】
以下各方法について説明する。
【００２２】
＜方法（ｉ）＞
方法（ｉ）で用いる両性界面活性剤（以下（ａ）成分という）としては下記一般式（１）の化合物又は一般式（２）の化合物から選ばれる化合物が好ましく、漂白効果の点から特に一般式（１）の化合物が好適である。
【００２３】
【化１】
0004675532.tif 000002
【００２４】
〔式中、Ｒ1は炭素数８〜１６、好ましくは１０〜１６、特に好ましくは１０〜１４の直鎖アルキル基又はアルケニル基であり、Ｒ3、Ｒ4は炭素数１〜３のアルキル基又はヒドロキシアルキル基である。Ｒ2は炭素数１〜５、好ましくは２又は３のアルキレン基である。Ａは−ＣＯＯ−、−ＣＯＮＨ−、−ＯＣＯ−、−ＮＨＣＯ−、−Ｏ−から選ばれる基であり、ａは０又は１、好ましくは１の数である。〕
【００２５】
【化２】
0004675532.tif 000003
【００２６】
〔式中、Ｒ5は炭素数９〜２３、好ましくは９〜１７、特に好ましくは１０〜１６のアルキル基又はアルケニル基であり、Ｒ6は炭素数１〜６、好ましくは１〜４、特に好ましくは２又は３のアルキレン基である。Ｂは−ＣＯＯ−、−ＣＯＮＨ−、−ＯＣＯ−、−ＮＨＣＯ−、−Ｏ−から選ばれる基であり、ｂは０又は１の数、好ましくは０である。Ｒ7、Ｒ8は、炭素数１〜３のアルキル基又はヒドロキシアルキル基、好ましくはメチル基、エチル基又はヒドロキシエチル基であり、Ｒ9はヒドロキシ基で置換していてもよい炭素数１〜５、好ましくは１〜３のアルキレン基である。Ｄは、−ＳＯ3-、−ＯＳＯ3-、から選ばれる基であり、特に−ＳＯ3-が漂白洗浄効果の点から良好である。〕。
【００２７】
方法（ｉ）で用いる陰イオン界面活性剤（以下（ｂ）成分という）としては分子中に炭素数１０〜１８、好ましくは１０〜１６、特に好ましくは１０〜１５のアルキル基又はアルケニル基と、−ＳＯ3Ｍ基及び／又は−ＯＳＯ3Ｍ基〔Ｍ：対イオン〕を有する陰イオン界面活性剤が好ましい。具体的には上記炭素数を有するアルキルベンゼンスルホン酸、アルキル（又はアルケニル）硫酸エステル、ポリオキシアルキレンアルキル（又はアルケニル）エーテル硫酸エステル、オレフィンスルホン酸、アルカンスルホン酸、α−スルホ脂肪酸、α−スルホ脂肪酸エステル、飽和又は不飽和の脂肪酸及びこれらの塩が好ましい。これらの中でも特に炭素数１０〜１６のアルキル基又はアルケニル基を有するアルキル（又はアルケニル）硫酸エステル、炭素数１０〜１６のアルキル基又はアルケニル基を有し、エチレンオキサイド（以下、ＥＯと表記する）平均付加モル数が１〜６、好ましくは１〜４、特に好ましくは１〜３であるポリオキシエチレンアルキル（又はアルケニル）エーテル硫酸エステル、もしくは炭素数１０〜１５のアルキル基を有するアルキルベンゼンスルホン酸、炭素数８〜１６の飽和脂肪酸、及びこれらの塩から選ばれる一種以上を配合することが好ましい。塩としては、ナトリウム塩、カリウム塩、アンモニウム塩、アルカノールアミン塩、好ましくはナトリウム塩、カリウム塩が貯蔵安定性の点から良好である。
【００２８】
方法（ｉ）では、（ａ）成分をＡ剤又はＢ剤のいずれか一方、好ましくはＢ剤に０．１〜１０質量％、好ましくは０．１〜５質量％、特に好ましくは０．１〜３質量％含有し、（ｂ）成分を（ａ）成分とは異なる剤、好ましくはＡ剤に０．０５〜１０質量％、好ましくは０．１〜５質量％含有する。また、Ａ剤及びＢ剤を１／３〜３／１の質量比で混合した場合の全ての場合において、混合液中に（ａ）成分／（ｂ）成分が１／１０〜１０／１の質量比になるようにＡ剤及びＢ剤中の（ａ）成分及び（ｂ）成分の含有量を調整することが本発明の粘度挙動を達成し、高い漂白効果を得る上で好ましい。
【００２９】
なお、本発明ではＡ剤及びＢ剤の２０℃における粘度を１〜１０ｍＰａ・ｓの範囲に入る程度に（ａ）成分及び（ｂ）成分をＡ剤及び／又はＢ剤に共存させることができる、共存させる場合にはＡ剤中及び／又はＢ剤中の（ａ）成分／（ｂ）成分を１／１０００〜１／１１又は１０００／１〜１１／１の質量比とすることが可能である。
【００３０】
＜方法（ii）＞
方法（ii）で用いるアルカノールアミド型界面活性剤（以下（ｃ）成分という）としては下記一般式（３）の化合物が好適である。
【００３１】
【化３】
0004675532.tif 000004
【００３２】
〔式中、Ｒ10−ＣＯは炭素数８〜２０の飽和又は不飽和のアシル基であり、Ｒ11はメチル基、エチル基又は−(Ｃ2Ｈ4Ｏ)m−Ｈである。また、Ｒ12は−(Ｃ2Ｈ4Ｏ)n−Ｈである。ｍ、ｎはそれぞれ０〜５の数であり、ｍ＋ｎは１〜６である。〕。
【００３３】
一般式（３）の化合物において、Ｒ10ＣＯ−は炭素数８〜１８の飽和又は不飽和のアシル基が好ましい。好ましい具体例としてはオクタン酸、デカン酸、ドデカン酸、テトラデカン酸、ヘキサデカン酸、オクタデカン酸、ドコサン酸、リノール酸、２−エチルヘキサン酸、２−オクチルウンデカン酸、イソステアリン酸、オレイン酸から誘導されるアシル基が挙げられ、特に好ましくは、オクタン酸、デカン酸、ドデカン酸、テトラデカン酸、ヘキサデカン酸、オクタデカン酸、オレイン酸から誘導されるアシル基である。
【００３４】
また、本発明では該アシル基が単独のアルキル基又はアルケニル基であっても差し支えないが、Ｒ10ＣＯ−に対応する脂肪酸が混合脂肪酸であることが洗浄効果、及び起泡力の点から好適である。好ましい混合脂肪酸組成は脂肪酸中の質量％として以下の組成が好適である。なお、これ以外の脂肪酸を含有しても差し支えないが、下記に示した脂肪酸の合計質量が１００質量％となるように調整されることが貯蔵安定性の点から望ましい。
【００３５】
カプリル酸；１〜１０質量％、好ましくは３〜６質量％
カプリン酸；１〜１２質量％、好ましくは３〜７質量％
ラウリン酸；４４〜６０質量％、好ましくは４４〜５５質量％
ミリスチン酸；１０〜２２質量％、好ましくは１０〜１７質量％
パルミチン酸；４〜１０質量％、好ましくは６〜１０質量％
ステアリン酸；０〜１０質量％、好ましくは１〜７質量％
オレイン酸；０〜１７質量％、好ましくは１〜１７質量％。
【００３６】
一般式（３）の化合物においてＲ11はメチル基、エチル基又は−(Ｃ2Ｈ4Ｏ)m−Ｈであり、洗浄効果の持続性の点から好ましくはメチル基又は水素原子（ｍ＝０）である。また、Ｒ12は−(Ｃ2Ｈ4Ｏ)n−Ｈであり、ｎは洗浄効果の持続性の点から好ましくは１〜５、特に好ましくは１〜３の数である。
【００３７】
一般式（３）の化合物の好ましい具体例としては一般式（ｃ−１）及び一般式（ｃ−２）を挙げることができる。
【００３８】
【化４】
0004675532.tif 000005
【００３９】
方法（ii）で用いる陰イオン界面活性剤は、上記方法（ｉ）で用いる（ｂ）成分と同じである。
【００４０】
方法（ii）では、（ｃ）成分をＡ剤又はＢ剤のいずれか一方、好ましくはＢ剤に０．１〜１０質量％、好ましくは０．１〜５質量％、特に好ましくは０．１〜３質量％含有し、（ｂ）成分を（ｃ）成分とは異なる剤、好ましくはＡ剤に０．０５〜１０質量％、好ましくは０．１〜５質量％含有する。また、Ａ剤及びＢ剤を１／３〜３／１の質量比で混合した場合の全ての場合において、混合液中に（ｃ）成分／（ｂ）成分が１／１０〜１０／１の質量比になるようにＡ剤及びＢ剤中の（ｃ）成分及び（ｂ）成分の含有量を調整することが本発明の粘度挙動を達成し、高い漂白効果を得るうえで好ましい。
【００４１】
なお、本発明ではＡ剤及びＢ剤の２０℃における粘度を１〜１０ｍＰａ・ｓの範囲に入る程度に（ｃ）成分及び（ｂ）成分をＡ剤及び／又はＢ剤に共存させることができる。共存させる場合にはＡ剤中及び／又はＢ剤中の（ｃ）成分／（ｂ）成分を１／１０００〜１／１１又は１０００／１〜１１／１の質量比とすることが可能である。
【００４２】
＜方法（iii）＞
方法（iii）では、デ−ビス氏の方法で求めたＨＬＢが３〜８、好ましくは４．５〜５．５の非イオン界面活性剤（以下（ｄ）成分という）を用いる。ここで、デービス氏の方法とは「界面活性剤  物性・応用・化学生態学」（北原文雄ら著  講談社サイエンティフィック１９９０年５月２０日第７刷発行）の２４頁〜２５頁に記載されている方法である。具体的に好ましい化合物としては下記一般式（４）の化合物が挙げられる。
Ｒ13−Ｏ−(Ｃ2Ｈ4Ｏ)s−(Ｃ3Ｈ6Ｏ)t−Ｈ                  （４）
〔式中、Ｒ13は炭素数１０〜１８、より好ましくは１０〜１４のアルキル基又はアルケニル基であり、ｓ及びｔはそれぞれ独立に、ｓは３〜１０、好ましくは３〜８、さらに好ましくは４〜８の数、ｔは０〜１０の数であり、エチレンオキサイドとプロピレンオキサイドはランダムあるいはブロック付加体であってもよい。また、ｓ及びｔは本発明のＨＬＢの範囲に入るように選ばれる。〕。
【００４３】
方法（iii）で用いる水溶性無機塩としては、上記Ｂ剤に用いるアルカリ剤のうち、炭酸ナトリウム、炭酸カリウム、リン酸３ナトリウム、リン酸水素２ナトリウムを用いることができる。また、硫酸ナトリウム、硫酸カリウム、硫酸マグネシウム、塩化ナトリウム、塩化カリウム、塩化マグネシウムも用いることも好適である。
【００４４】
方法（iii）では、（ｄ）成分をＡ剤又はＢ剤のいずれか一方、好ましくはＡ剤に０．１〜３０質量％、より好ましくは０．５〜２０質量％、特に好ましくは１〜１５質量％含有させる。また、水溶性無機塩をＡ剤又はＢ剤のいずれか一方、好ましくはＢ剤に０．５〜２０質量％、好ましくは1〜１５質量％含有させる。また、Ａ剤及びＢ剤を１／３〜３／１の質量比で混合した場合の全ての範囲において、混合液中に（ｄ）成分／水溶性無機塩が１／１０〜１０／１の質量比になるようにＡ剤及びＢ剤中の（ｄ）成分及び水溶性無機塩の含有量を調整することが本発明の粘度挙動を達成し、高い漂白効果を得るうえで好ましい。
【００４５】
なお、本発明ではＡ剤及びＢ剤の２０℃における粘度を１〜１０ｍＰａ・ｓの範囲に入る程度に（ｄ）成分及び水溶性無機塩をＡ剤及び／又はＢ剤に共存させることができる。共存させる場合にはＡ剤中及び／又はＢ剤中の（ｄ）成分／水溶性無機塩を１／１０００〜１／１１又は１０００／１〜１１／１の質量比とすることが可能である。
【００４６】
＜方法（iv）＞
方法（iv）では、濃度０．２質量％、ｐＨ４の水溶液の２０℃における粘度が１〜１０ｍＰａ・ｓであり、濃度０．１質量％、ｐＨ１０の水溶液の２０℃における粘度が１１ｍＰａ・ｓ以上になる重量平均分子量１万〜６百万の水溶性高分子化合物〔以下（ｅ）成分という〕を、Ａ剤に含有させる。ここで、各水溶液のｐＨの調整は、０．１規定硫酸水溶液及び／又は０．１規定水酸化ナトリウム水溶液により行う。このような性質を有する水溶性高分子化合物としては、アクリル酸、メタクリル酸及び無水マレイン酸から選ばれる一種以上に由来するモノマー単位を５０モル％〜１００モル％含有する重量平均分子量１０万〜６００万の重合体が特に好ましい。具体的にはＢＦＧｏｏｄｒｉｃｈ社製のカーボポールＥＴＤ２６９１、カーボポールＥＴＤ２６２３、カーボポール６７２、カーボポール６７４、カーボポール６７６等を用いることができる。
【００４７】
方法（iv）では（ｅ）成分をＡ剤中に０．０１〜５質量％、好ましくは０．０１〜３質量％、特に好ましくは０．０１〜１質量％含有することが高い漂白効果を得る上で好ましい。
【００４８】
＜方法（ｖ）＞
方法（ｖ）は、Ｂ剤に水溶性無機塩０．５〜２０質量％、好ましくは１〜１５質量％を含有する塩強度が高い状態で、スルホン酸基及びヒドロキシ基から選ばれる官能基を有する高分子化合物を好ましくは０．０１〜１５質量％、より好ましくは０．１〜５質量％含有することで本発明の粘度要件を達成するものである。方法（ｖ）で用いる水溶性無機塩としては、上記Ｂ剤に用いるアルカリ剤のうち、炭酸ナトリウム、炭酸カリウム、リン酸３ナトリウム、リン酸水素２ナトリウムを用いることができる。また、硫酸ナトリウム、硫酸カリウム、硫酸マグネシウム、塩化ナトリウム、塩化カリウム、塩化マグネシウムも用いることができる。
【００４９】
またスルホン酸基及びヒドロキシ基から選ばれる官能基を有する高分子化合物のうち好ましいものは、スルホン酸基を有する高分子化合物であり、特にスチレンスルホン酸を構造単位として有する高分子化合物が好ましい。スチレンスルホン酸由来のモノマー単位を全モノマー単位あたり５０〜１００モル％、好ましくは８０〜１００モル％含む高分子化合物がより望ましい。スチレンスルホン酸を構造単位として有する高分子化合物は、スチレンスルホン酸単独又はスチレンスルホン酸と共重合可能なモノマーとともに重合して得る方法の他に、スチレンを重合し、後からスルホン酸基を導入する方法で製造してもよい。
【００５０】
スルホン酸基及びヒドロキシ基から選ばれる官能基を有する高分子化合物は塩で配合してもよく、塩はナトリウム又はカリウム塩が好ましい。
【００５１】
本発明では方法（ｉ）及び方法（iii）が漂白効果の点から好ましい。また、上記方法（ｉ）〜方法（ｖ）をそれぞれ単独で用いてもよく、併用して用いても差し支えなく、特に方法（ｉ）及び方法（iii）を併用することが好適である。
【００５２】
本発明では漂白効果を高める目的から、好ましくはＡ剤に漂白活性化剤を含有することが好適である。漂白活性化剤としては漂白効果及び貯蔵安定性の点からアルカノイルオキシベンゼン型漂白活性化剤が好ましく、特に炭素数６〜１４、好ましくは７〜１３のアルカノイル基を有するアルカノイルオキシベンゼンスルホン酸もしくは炭素数６〜１４、好ましくは７〜１３のアルカノイル基を有するアルカノイルオキシベンゼンカルボン酸又はこれらの塩が好ましい。具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００５３】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が親油性汚れ漂白効果の点から好ましい。本発明のＡ剤には漂白活性化剤を０．０５〜５質量％、好ましくは０．１〜３質量％配合することが漂白効果の点から好ましい。
【００５４】
本発明では上記漂白活性化剤の貯蔵安定性を向上させる目的からＡ剤に陽イオン界面活性剤を含有することが好適である。陽イオン界面活性剤としては、下記一般式（５）のモノ長鎖アルキル（もしくはアルケニル）トリ短鎖アルキル型陽イオン界面活性剤が好ましい。
【００５５】
【化５】
0004675532.tif 000006
【００５６】
〔式中、Ｒ14は炭素数８〜１８、好ましくは１０〜１８、特に好ましくは１０〜１６のアルキル基又はアルケニル基であり、Ｒ15、Ｒ16、Ｒ17は同一又は異なっていてもよい炭素数１〜３のアルキル基である。Ｘ-は陰イオン、好ましくはハロゲンイオン、炭素数１〜３のアルキル硫酸エステルイオン、炭素数１〜１２の脂肪酸イオン、炭素数１〜３の置換基を１〜３個有していてもよいアリールスルホン酸イオンである。〕。
【００５７】
本発明では、漂白効果及び洗浄効果を高める目的からＡ剤及びＢ剤の少なくとも１方、好ましくはＢ剤に、分散剤を配合することが好ましい。特に、重量平均分子量５千〜４万、好ましくは５千〜１万のポリアクリル酸（塩）、ポリメタクリル酸（塩）、又は重量平均分子量1万〜１０万未満、好ましくは３万〜７万のアクリル酸とマレイン酸のコポリマー（塩）から選ばれるカルボン酸系ポリマー、及び重量平均分子量４千〜２万、好ましくは５千〜１万のポリエチレングリコールから選ばれる非イオン性ポリマーが好ましい。なお、これら分散剤にはＡ剤で用いる水溶性酸性物質及びＢ剤で用いるアルカリ剤として作用するため、本発明の効果を妨げない程度に使用することが必要である。本発明では好ましくはＢ剤に上記分散剤を０．０５〜１４質量％、好ましくは０．１〜８質量％が好適である。
【００５８】
本発明ではＡ剤及び／又はＢ剤、好ましくはＢ剤に洗浄効果を高める目的で溶剤を配合することが好ましい。溶剤としては（１）炭素数１〜５の１価アルコール、（２）炭素数２〜１２の多価アルコール、（３）下記の一般式（６）で表される化合物、（４）下記の一般式（７）で表される化合物、（５）下記の一般式（８）で表される化合物
【００５９】
【化６】
0004675532.tif 000007
【００６０】
〔式中、Ｒ18及びＲ19は、それぞれ水素原子、炭素数１〜６のアルキル基、フェニル基又はベンジル基を示すが、Ｒ18及びＲ19の双方が水素原子となる場合を除く。ｇは０〜１０の数を、ｈは０〜１０の数を示すが、ｇ及びｈの双方が０である場合を除く。Ｒ20及びＲ21は炭素数１〜３のアルキル基を示す。Ｒ22は炭素数１〜８のアルキル基を示す。〕。
【００６１】
（１）の炭素数１〜５の１価アルコールとしては、一般的にエタノール、プロピルアルコール、イソプロピルアルコールが挙げられる。これらの低級アルコールを配合することにより低温における系の安定性を更に向上させることができる。
【００６２】
（２）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００６３】
（３）の化合物は、一般式（６）において、Ｒ18、Ｒ19がアルキル基である場合の炭素数は１〜４が特に好ましい。また、一般式（６）中、ＥＯ及びプロピレンオキサイドの平均付加モル数のｇ及びｈは、それぞれ０〜１０の数である（ｇ及びｈの双方が０である場合を除く）が、これらの付加順序は特に限定されず、ランダム付加したものであってもよい。（３）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す）、ポリオキシエチレン（ｐ＝３）グリコールフェニルエーテル、フェニルカルビトール、フェニルセロソルブ、ベンジルカルビトール等が挙げられる。このうち、洗浄力及び使用感の点から、プロピレングリコールモノメチルエーテル、ジエチレングリコールモノブチルエーテル、ポリオキシエチレン（ｐ＝１〜４）グリコールモノフェニルエーテルが好ましい。
【００６４】
また、（４）の化合物としては、１，３−ジメチル−２−イミダゾリジノン、１，３−ジエチル−２−イミダゾリジノンが好適なものとして例示され、（５）の化合物としてはアルキルグリセリルエーテル化合物が挙げられ、好ましくはＲ20が炭素数３〜８のアルキル基の化合物である。
【００６５】
これらのなかでも本発明の性質を満たすために（１）、（２）、（３）、（５）の水溶性溶剤が好ましく、特にエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ペンチルグリセリルエーテル、オクチルグリセリルエーテル、ポリオキシエチレン（ｐ＝１〜４）グリコールモノフェニルエーテルから選ばれる溶剤が好ましい。
【００６６】
本発明では、このような溶剤を好ましくはＢ剤に０．０１〜１５質量％、好ましくは０．０５〜１０質量％含有することが良好である。
【００６７】
本発明では漂白効果を向上させる目的から、Ａ剤及び/又はＢ剤に金属封鎖剤を用いることが好ましく、具体的には以下の化合物を挙げることができる。
【００６８】
▲１▼リン酸、トリポリリン酸、フィチン酸から選ばれるリン酸系化合物、▲２▼エタン−1,1−ジホスホン酸、エタン−1,1,2−トリホスホン酸、エタン−1−ヒドロキシ−1,1−ジホスホン酸、エタンヒドロキシ−1,1,2−トリホスホン酸、エタン−1,2−ジカルボキシ−1,2−ジホスホン酸、メタンヒドロキシホスホン酸から選ばれるホスホン酸、▲３▼2-ホスホノブタン−1,2−ジカルボン酸、1-ホスホノブタン−2,3,4−トリカルボン酸、α−メチルホスホノコハク酸から選ばれるホスホノカルボン酸、▲４▼アスパラギン酸、グルタミン酸、グリシンから選ばれるアミノ酸、▲５▼ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸から選ばれるアミノポリ酢酸、▲６▼ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキメチル酒石酸から選ばれる有機酸、▲７▼アミノポリ（メチレンホスホン酸）、又はポリエチレンポリアミンポリ（メチレンホスホン酸）、及びこれらのアルカリ金属又はアルカリ土類金属塩を挙げることができる。より好ましくは▲２▼のホスホン酸化合物、▲５▼のアミノポリ酢酸化合物、▲６▼の有機酸、及び▲７▼の化合物、及びこれらのアルカリ金属又はアルカリ土類金属塩が好適である。
【００６９】
本発明では特にエタン−1,1−ジホスホン酸、エタン−1,1,2−トリホスホン酸、エタン−1−ヒドロキシ−1,1−ジホスホン酸、クエン酸、コハク酸、マレイン酸、フタル酸、テレフタル酸、イソフタル酸、フマル酸、アジピン酸、アスパラギン酸、アゼライン酸、グルタミン酸、グルタル酸、エチレンジアミン４酢酸、ジエチレントリアミン５酢酸、エチレンジアミン２酢酸、２−ヒドロキシエチルイミノジ酢酸から選ばれる化合物が最も好ましい。
【００７０】
なお、これら金属封鎖剤はＡ剤に用いられる酸性物質又はＢ剤に用いられるアルカリ性物質としての作用を有するため、本発明の効果を損なわない程度に用いられることが好ましく、Ａ剤中及び／又はＢ剤中に０．１〜１０質量％、好ましくは０．２〜５質量％、特に好ましくは０．２〜３質量％である。
【００７１】
本発明の２剤型漂白剤は、上記Ａ剤及びＢ剤を混合して漂白洗浄を行うものである。Ａ剤とＢ剤の混合比率は質量比で、好ましくはＡ剤／Ｂ剤＝１／１０〜１０／１、より好ましくはＡ剤／Ｂ剤＝１／５〜５／１、最も好ましくはＡ剤／Ｂ剤＝１／３〜３／１が漂白洗浄効果の点から好ましい。また、Ａ剤及びＢ剤混合後の２０℃におけるｐＨが８．０以上、より好ましくは８．５〜１３．０、更に好ましくは９．５〜１１．０、特に好ましくは９．８〜１１．０になるようにすることが漂白効果の点から好ましい。
【００７２】
本発明ではこのような混合比率を容易に達成する目的でＡ剤及びＢ剤が同時に吐出可能な吐出部を具備した容器であり、且つＡ剤とＢ剤をそれぞれ異なる格納部に収納可能な一体型容器、もしくはＡ剤を収納可能な容器とＢ剤を収納可能な容器を接合しうる部材により接合した連結型容器を用いてもよい。また前記一体型容器及び連結型容器（以下、２剤型容器という）は、Ａ剤とＢ剤の吐出量の比が質量比でＡ剤／Ｂ剤＝１／１０〜１０／１、好ましくは１／５〜５／１、より好ましくは１／３〜３／１になるように各吐出部の形状を調整することが好適である。吐出量の調整は、Ａ剤とＢ剤の粘度及び吐出部の開口面積や形状を調整することにより公知の方法で達成することができる。
【００７３】
また、２剤型容器は、吐出部の開口面積がＡ剤吐出部／Ｂ剤吐出部の面積比で１／１０〜１０／１、好ましくは１／５〜５／１、より好ましくは１／３〜３／１であることが、吐出量を調整する上で好ましい。２回あるいはそれ以上の回数で計量するものでも良いが、使い勝手の点から1回の計量操作で、２剤が設計された特定の比率で混合されるものが良く、具体的な容器の例を模式図で示すと図１又は図２のものが挙げられる。
【００７４】
図１中（１１）、（１２）はＡ剤又はＢ剤の収容部であり、何れか一方にＡ剤が、他方にＢ剤が収容される。各収容部は（１３）の隔壁により隔離されている。（１４）はＡ剤及びＢ剤が同時に吐出することができる吐出部である。この容器のキャップ（１−１）は吐出部（１４）と螺合するよう設計され、且つ内容物の計量機能も具備する。Ａ剤、Ｂ剤の吐出部（２４）の開口面積は、内容物の粘度にもよるが、それぞれ５〜３００ｍｍ2であることが、液の混入と使い勝手を考えた場合に好ましい。
【００７５】
図２中（２１）、（２２）はＡ剤又はＢ剤の収容部であり、何れか一方にＡ剤が、他方にＢ剤が収容され、これらは（２３）の接合部で接合されている。（２４）はＡ剤及びＢ剤が同時に吐出することができる吐出部である。この容器にも図１同様のキャップ（２−１）が用いられる。Ａ剤、Ｂ剤の吐出部（２４）の開口面積は、内容物の粘度にもよるが、それぞれ５〜３００ｍｍ2であることが、液の混入と使い勝手を考えた場合に好ましい。
【００７６】
また、他にもボトル形状については多数考えられるが、図３や図４に示したようなものでも良い。図３の容器は、図１の容器に把持部（取手）（３２）を設けたものであり、内部は隔壁（３１）によって２室に分けられていて、一方にＡ剤、他方にＢ剤が収容され、それぞれの液は混合されない状態になっている。取手（３２）を持って注ぐことによって、Ａ剤、Ｂ剤が設計された特定の比率で使用開始時から終了時まで混合されて計量容器に注がれる。この容器にも図１同様のキャップ（３−１）が用いられる。
【００７７】
図４に示したような容器も使用できる。該容器は、隔壁（４１）によって内部が２室に分けられていて、図３と同様に、一方にＡ剤、他方にＢ剤が収容され、それぞれの液は混合されない状態になっていている。取手（４２）を持って注ぐことによってＡ剤、Ｂ剤が設計された特定の比率で使用開始時から終了時まで混合されて計量容器に注がれる。この容器にも図１同様のキャップ（４−１）が用いられる。
【００７８】
また、図５のように、使い勝手と収納の利便性をより高めたキャップ（５−１）を図７、８のように用いることもできる。図１〜５に示したような、容器のキャップを兼ねるようなものは、比較的低粘度（２０ｍＰａ・ｓ程度）のＡ、Ｂ剤を使用した場合に好適である、
また、Ａ剤とＢ剤の計量を容器のキャップとは別の計量器で行ってもよく、例えば図６に示したように、計量と混合をかねるような蓋の付いた計量器（６−１）を用いることができる。このような計量器は、特に、比較的高粘度（１００ｍＰａ・ｓ以上）の混合液の場合に適している。
【００７９】
本発明で用いる容器の材質は、特定されるものではないが、例えばプラスチック製容器が用いられる。
【００８０】
プラスチック製容器の製造に用いるプラスチックとしては、ポリエチレン（高密度ポリエチレン、低密度ポリエチレン、直鎖状ポリエチレン等）、ポリプロピレン（ホモポリマー、ブロックポリマー、ランダムポリマー）、ポリブテン等のポリオレフィン、ポリ塩化ビニル、ポリスチレン系ポリマー（ポリスチレン、アクリロニトリル−スチレン樹脂、スチレン−ブタジエンブロック共重合体）等から選ばれる１種又は２種以上のものを挙げることができる。これらの中でもポリオレフィンが好ましい。
【００８１】
また、内容物の安定性のために、遮光性を付与するために、プラスチックに顔料を添加することもできる。用いる顔料としては、有機顔料として、アゾ系顔料、アントラキノン系顔料、フタロシアニン系顔料、ペリノン系顔料、ペリレン系顔料、キナクリドン系顔料、ジオキサジエン系顔料、チオインジゴ系顔料、イソインジリノン系顔料等から選ばれる１種又は２種以上を挙げることができ；無機顔料として、ベンガラ、チタンホワイト（ＴｉＯ2の他、ＴｉＯ、Ｔｉ2Ｏ3を含んでいてもよい）、チタンイエロー、焼成顔料グリーン、酸化クロム、コバルトブルー、シリカ、アルミナ等の金属酸化物類、カドミウムイエロー、カドミウムレッド等の硫化物類、群青等のケイ酸塩類、黄鉛、クロムバーミリオン等のクロム酸塩類、カーボンブラック等のカーボン類、タルク、カオリン、クレー等の粘土類、炭酸カルシウム、炭酸マグネシウム等の無機塩類等から選ばれる１種又は２種以上を挙げることができる。これらの中でもフタロシアニン系顔料、アゾ系顔料、金属酸化物類顔料、群青等が、耐光性、遮光性、耐熱性、発色性、耐薬品性が優れているために好ましい。
【００８２】
プラスチック製容器には、さらに酸化防止剤、紫外線吸収剤、帯電防止剤（アミン化合物、高級アルコール、モノグリセリド等）、滑剤等を含有させることができる。
【００８３】
【実施例】
下記に示す配合原料を用いて実施例１〜実施例４のＡ剤及びＢ剤を調製した。それらを表１〜４に示す容器（各収容部の容量１リットル）に充填して２剤型液体漂白剤を作製し、２０ｍＬずつそれぞれの計量容器で計量し、その漂白効果を下記の方法で測定した。
【００８４】
＜配合原料＞
・ＡＯ：ラウリルジメチルアミンオキシド（花王株式会社製アンヒトール２０Ｎ）
・ＳＢ：Ｎ−ラウリル−Ｎ，Ｎ−ジメチル−Ｎ−（２−ヒドロキシ−３−スルホプロピル）アンモニウムスルホベタイン（花王株式会社製アンヒトール２０ＨＤ）
・ＬＡＳ：炭素数１１〜１５（平均炭素数１３．５）のアルキルベンゼンスルホン酸
・ＥＳ：平均付加モル数２．５のポリオキシエチレンラウリルエーテル硫酸エステルナトリウム
・ＦＡ：ラウリン酸
・ＡＡＤ：カプリル酸（４．５質量％）、カプリン酸（５質量％）、ラウリン酸（５４．５質量％）、ミリスチン酸（１１．５質量％）、パルミチン酸（１０質量％）、ステアリン酸（５．５質量％）、オレイン酸（９質量％）の混合脂肪酸と、Ｎ−メチルエタノールアミンとを脱水アミド化反応させて得られた、Ｎ−エタノール−Ｎ−メチルアルカン酸アミド
・ＬｙＤＥＡ：ラウロイルジエタノールアミド
・ノニオン１：ポリオキシエチレンラウリルエーテル（ＨＬＢ＝４．９；ＥＯ平均付加モル数５．０）
・ノニオン２：ポリオキシエチレンラウリルエーテル（ＨＬＢ＝５．５；ＥＯ平均付加モル数７．０）
・ノニオン３：ポリオキシエチレンラウリルエーテル（ＨＬＢ＝６．２；ＥＯ平均付加モル数９．０）
・カチオン：Ｎ−テトラデシル−Ｎ，Ｎ，Ｎ−トリメチルアンモニウムクロリド
・ＬＯＢＳ：ラウロイルオキシベンゼンスルホン酸ナトリウム
・増粘剤１：カーボポール６７６（ＢＦＧｏｏｄｒｉｃｈ社製）
・増粘剤２：ポリスチレンスルホン酸ナトリウム（重量平均分子量１００万）
・ホスホン酸：１−ヒドロキシエチリデン−１，１−ジホスホン酸
・分散剤：ポリアクリル酸（重量平均分子量１万）
・ＰＨＧ−３０：トリエチレングリコールモノフェニルエーテル。
【００８５】
＜漂白効果＞
＊漂白効果の測定
Ａ剤、Ｂ剤を合計２０ｍＬ（混合比率は表１〜４に示す）になるように、それぞれの計量容器に計りとり（攪拌無し）、下記の通り調製した紅茶汚染布５枚に１ｍＬ／枚ずつ塗布した。１０分後、水道水ですすぎ、乾燥させて、次式により漂白率を算出した。
【００８６】
【数１】
0004675532.tif 000008
【００８７】
反射率は日本電色工業（株）製ＮＤ−３００Ａで４６０ｎｍフィルターを使用して測定した。
【００８８】
＊紅茶汚染布の調製
日東紅茶（黄色パッケ−ジ）１６０ｇを６Ｌのイオン交換水にて約１５分間煮沸後、糊抜きしたさらし木綿で濾し、この液に木綿金布＃２００３を５ｃｍ×５ｃｍに裁断したものを６００枚浸した。一晩放置後、布を取りだし流水下で水洗し、脱水、室温で乾燥後、紅茶汚染布を得た。
【００８９】
＜粘度測定＞
粘度ビーカーに１００ｍｌの測定対象液を計り取り、２０℃で（株）東京計器製Ｂ形粘時計を用いて、Ｎｏ．１ローター、６０ｒｐｍで測定した。
【００９０】
実施例１
方法（ｉ）に基づいて表１に示すＡ剤及びＢ剤を調製し、上記の評価を行った。結果を表１に示す。
【００９１】
【表１】
0004675532.tif 000009
【００９２】
実施例２
方法（ii）に基づいて表２に示すＡ剤及びＢ剤を調製し、上記の評価を行った。結果を表２に示す。
【００９３】
【表２】
0004675532.tif 000010
【００９４】
実施例３
方法（iii）に基づいて表３に示すＡ剤及びＢ剤を調製し、上記の評価を行った。結果を表３に示す。
【００９５】
【表３】
0004675532.tif 000011
【００９６】
実施例４
方法（iv）に基づいて表４に示すＡ剤及びＢ剤を調製し、上記の評価を行った。結果を表４に示す。
【００９７】
【表４】
0004675532.tif 000012
【００９８】
実施例５
方法（ｖ）に基づいて表５に示すＡ剤及びＢ剤を調製し、上記の評価を行った。結果を表５に示す。
【００９９】
【表５】
0004675532.tif 000013
【図面の簡単な説明】
【図１】Ａ剤、Ｂ剤を収容する２剤型容器の一例を示す模式図
【図２】Ａ剤、Ｂ剤を収容する２剤型容器の他の例を示す模式図
【図３】Ａ剤、Ｂ剤を収容する２剤型容器の他の例を示す模式図
【図４】Ａ剤、Ｂ剤を収容する２剤型容器の他の例を示す模式図
【図５】Ａ剤、Ｂ剤の計量器の一例を示す模式図
【図６】Ａ剤、Ｂ剤の計量器の他の例を示す模式図
【図７】図５の計量器を具備した２剤型容器の一例を示す模式図
【図８】図５の計量器を具備した２剤型容器の他の例を示す模式図
【符号の説明】
（１１）：Ａ剤の収容部
（１２）：Ｂ剤の収容部
（１３）：隔壁
（１４）：吐出部
（１−１）：キャップ
【図１】
0004675532.tif 000014
【図２】
0004675532.tif 000015
【図３】
0004675532.tif 000016
【図４】
0004675532.tif 000017
【図５】
0004675532.tif 000018
【図６】
0004675532.tif 000019
【図７】
0004675532.tif 000020
【図８】
0004675532.tif 000021